(57)【要約】【課題】電子メールのバナー広告を積極的に閲覧する者を増やし、また、広告内容を閲覧する者の興味に対応させて配信することができる携帯電話の電子メールを利用した広告方法を提供する。【解決手段】本部１と、加盟店３と、広告スポンサーであるテナント店２と、登録会員４との間で行われる携帯電話の電子メールを利用した広告方法であって、本部１に登録したテナント店２の宣伝広告を携帯電話で閲覧できるようにするステップと、加盟店３が新たな登録会員４を集めるステップと、登録会員４が新たな登録会員４を集めるステップと、本部１から加盟店３又は登録会員４の各々に自身及び配下の登録会員４の宣伝広告閲覧件数に応じたポイントが与えられ、蓄積されるステップとを有するものであって、加盟店３又は登録会員４が蓄積されたポイントによってテナント店２の商品を購入することができる。【選択図】図１
2005141278.tif 000002
【特許請求の範囲】
【請求項１】
本部と、加盟店と、広告スポンサーであるテナント店と、登録会員との間で行われる携帯電話の電子メールを利用した広告方法であって、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告閲覧件数に応じたポイントが与えられ、蓄積されるステップとを有するものであって、加盟店又は登録会員が蓄積されたポイントによってテナント店の商品を購入することができるものであることを特徴とする携帯電話の電子メールを利用した広告方法。
【請求項２】
加盟店又は登録会員が新たな登録会員を集めるステップは、本部のサーバから転送用メールを受信し、該転送用メールを登録会員の知人のメールアドレスに転送し、受信した者が該転送用メールを送信した者に付与されたＩＤ宛にメールを送信し、該送信メールに対応したメールが本部から送信され、該メールの中にある加盟店のホームページにアクセスして該ホームページの画面上で登録して本部のサーバに記録された新規登録会員に対して新たなＩＤが付与されるものであることを特徴とする請求項１に記載の携帯電話の電子メールを利用した広告方法。
【請求項３】
転送用メールを受信した者が該転送用メール画面上で登録する内容には関心のあるジャンルをチェックするアンケートが含まれていることを特徴とする請求項２に記載の携帯電話の電子メールを利用した広告方法。
【請求項４】
本部のサーバは登録会員の登録する内容によって配信する広告内容を選択することができることを特徴とする請求項３に記載の携帯電話の電子メールを利用した広告方法。
【請求項５】
加盟店又は登録会員に与えられるポイントはテナント店が本部に支払った広告代金の一部をポイント換算するものであって、加盟店又は登録会員は貯まったポイントによってテナント店の商品と交換することができるものであることを特徴とする請求項１乃至４のいずれかに記載の携帯電話の電子メールを利用した広告方法。
【請求項６】
加盟店は本部とアフェリエイト契約をするか否かの選択をすることができ、アフェリエイト契約をする場合には本部からアフェリエイト契約をした加盟店の各々に自身及び配下の登録会員がテナント店に入場できる入り口を本部のサーバ上に設けることができて自身及び配下の登録会員が該入り口を通過するごとにテナント店が本部に支払った広告代金の一部をポイント換算することを特徴とする請求項５に記載の携帯電話の電子メールを利用した広告方法。
【発明の詳細な説明】
【０００１】
【発明の属する技術分野】
本発明は、携帯電話の電子メールを利用してテナント店の商品の宣伝広告を行い、この宣伝広告を見たものに対してテナント店で販売する商品等を購入するためのポイントを付与するビジネスモデルに関するものである。
【０００２】
【従来の技術】
従来より、パソコン、ＰＤＡ端末，携帯電話等の通信機器へ、インターネットの電子メールを介してバナー広告を行い、その電子メールを受信してバナー広告を閲覧した者に対して、その電子メール料金を無料にすることは行われている（例えば、特許文献１参照。）。
【０００３】
【特許文献１】
特開２００１−２７３２０４号公報
【０００４】
【発明が解決しようとする課題】
しかしながら上記発明では電子メールの料金が無料になるだけでその他に何らの特典もないため、バナー広告を閲覧する者の数に広がりがなく、電子メールを受信した者が、そのメールを知人に転送する割合も低いものであった。
【０００５】
また、電子メールを受信した者が興味のない広告を見せられることによって、かえって広告閲覧者数を減少させることもあった。
【０００６】
本発明は上記点に鑑み、電子メールのバナー広告を積極的に閲覧する者を増やし、また、広告内容を閲覧する者の興味に対応させて配信することができる携帯電話の電子メールを利用した広告方法を提供することを目的とする。
【０００７】
【課題を解決するための手段】
請求項１の発明は、本部と、加盟店と、広告スポンサーであるテナント店と、登録会員との間で行われる携帯電話の電子メールを利用した広告方法であって、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告閲覧件数に応じたポイントが与えられ、蓄積されるステップとを有するものであって、加盟店又は登録会員が蓄積されたポイントによってテナント店の商品を購入することができるものであることに特徴を有する。
【０００８】
請求項２の発明は、加盟店又は登録会員が新たな登録会員を集めるステップは、本部のサーバから転送用メールを受信し、該転送用メールを登録会員の知人のメールアドレスに転送し、受信した者が該転送用メールを送信した者に付与されたＩＤ宛にメールを送信し、該送信メールに対応したメールが本部から送信され、該メールの中にある加盟店のホームページにアクセスして該ホームページの画面上で登録して本部のサーバに記録された新規登録会員に対して新たなＩＤが付与されるものであることに特徴を有する。
【０００９】
請求項３の発明は、転送用メールを受信した者が該転送用メール画面上で登録する内容には関心のあるジャンルをチェックするアンケートが含まれていることに特徴を有する。
【００１０】
請求項４の発明は、本部のサーバは登録会員の登録する内容によって配信する広告内容を選択することができることに特徴を有する。
【００１１】
請求項５の発明は、加盟店又は登録会員に与えられるポイントはテナント店が本部に支払った広告代金の一部をポイント換算するものであって、加盟店又は登録会員は貯まったポイントによってテナント店の商品と交換することができるものであることに特徴を有する。
【００１２】
請求項６の発明は、加盟店は本部とアフェリエイト契約をするか否かの選択をすることができ、アフェリエイト契約をする場合には本部からアフェリエイト契約をした加盟店の各々に自身及び配下の登録会員がテナント店に入場できる入り口を本部のサーバ上に設けることができて自身及び配下の登録会員が該入り口を通過するごとにテナント店が本部に支払った広告代金の一部をポイント換算することに特徴を有する。
【００１３】
【発明の実施の形態】
次に、本発明の実施形態を図面に基づいて説明する。図１は本発明に係る携帯電話の電子メールを利用した広告方法のシステム構成を示す概念図である。この図に示すように、本システムは本部１と、テナント店２と、加盟店３と、登録会員４とから構成されるものである。
【００１４】
そして、先ず、本部１は宣伝広告を配信したいテナント店２と、宣伝広告を受信する加盟店３を集めることから始まる。また、テナント店２には宣伝広告したい内容を記録したデータを文字やデジタルカメラ等による写真や、動画等で作成してもらい、出来上がったデータを本部１のサーバへと送信するのである。
【００１５】
一方、加盟店３には専用のホームページを開設させることによって、同ホームページを運営するための加盟店専用のＵＲＬが本部１より付与されることとなる。また、加盟店３には後述する登録会員４が入会する時に受け付けるための入会受付専用のメールアドレスが本部より付与されることとなる。
【００１６】
そして、所定の数のテナント店２と加盟店３が集った時点で、本部１は紹介用の電子メールを加盟店３の携帯電話へと配信するのである。
【００１７】
次に、紹介用の電子メールを受信した加盟店３は、知人のメールアドレスに転送するのである。ここで、電子メールを受け取った知人が登録会員４になることを決めた場合には以下の手順で登録が行われることとなる。
【００１８】
図２は登録会員になるための登録の手順を示した説明図である。
【００１９】
先ず、加盟店の入会受付専用のメールアドレス宛に自分の名前をひらがなで入力した本文を付けて送信する。すると、本部から自分を紹介した加盟店のＵＲＬを表示したメールが届く。このＵＲＬの表示をクリックすると、加盟店のホームページが表示される。この加盟店のホームページ上で図３に示す登録の手続きをすることになるのである。
【００２０】
登録の手続きは氏名、携帯電話番号等の内容を入力した後、アンケートに答え、パスワードを入力して、入会のボタンをクリックするだけであり、極めて簡単な手続きである。
【００２１】
そして、入会のボタンをクリックすると、本部のサーバへ、入力した内容、アンケート内容、パスワード等が送信されるのである。次に、本部からは新規登録会員に対して、登録確認用のメールと、知人転送用のメールの２通のメールが送信されるのである。この２通のメールを受け取った新規登録会員は、メールアドレスを知っている自分の知人に対して知人転送用のメールを転送することによって、上述した手順を再び繰り返して登録会員が拡大していくのである。
【００２２】
次に、図４を用いて本発明に係る電子メールを利用した広告方法におけるポイントシステムについて説明する。先ず、ポイントとは加盟店又は登録会員が本部から送信されてきた電子メールに添付されたテナント店の広告を閲覧した場合にその都度、加盟店又は登録会員に与えられる点数のことである。そして、このポイントが蓄積されるとテナント店において、ポイントに対応する商品と交換することができるのである。
【００２３】
そして、このポイントは加盟店又は登録会員自身が広告を閲覧した場合に限られず、加盟店又は登録会員の紹介した登録会員と、その登録会員が紹介した登録会員と、さらにその登録会員が紹介した登録会員と…というように、配下の登録会員（例えば、登録会員Ａの場合には図の斜線で示した登録会員全部）が閲覧した広告についても所定の比率でポイントに換算されるのである。
【００２４】
したがって、加盟店又は登録会員は新規の登録会員を紹介すればする程、自身に与えられるポイントが増加していくことになるので、積極的に新規の登録会員を集めようと努力するようになるのである。
【００２５】
これは、テナント店にとってみれば自社の宣伝広告を閲覧する人の数が増加することになるわけであり、その広告を閲覧して興味を抱いた人が、買い物に来てくれれば売上増加につながるのである。
【００２６】
また、本部にとってみれば、テナント店から、宣伝広告を閲覧した人の数に応じて広告料金を徴収しているので、広告収入が増加し、この広告収入の一部をポイントとして加盟店又は登録会員に与えることができるのである。
【００２７】
そして、登録会員がポイントによって、テナント店で商品を購入した場合には、そのポイントに対応する現金をテナント店は本部から徴収することができるのである。
【００２８】
次に、本部が登録会員に配信するテナント店の広告について説明する。新規の登録会員は、登録に際して携帯電話の画面上で図３ｂに示すようなアンケートに答えることになり、このアンケートの内容は本部のサーバに記憶されるのであるが、この記憶された内容に応じて、登録会員ごとに配信する広告内容がコンピュータ上で決定されるのである。
【００２９】
例えば、アンケートでファッションに興味があり、車・オートバイには興味がないと答えた場合には、テナント店の中の洋服やバッグの広告については、その登録会員に対して送信されるものであるが、新車や中古車の広告については、その登録会員には送信されることはないのである。したがって、登録会員は興味のあるジャンルの広告だけを受信して閲覧することができるのであり、興味のない広告を受信して閲覧する煩わしさを伴うことがないのである。
【００３０】
尚、登録時にアンケートによって興味がなかったジャンルに関して後で興味が湧く場合も考慮して、本部のサーバに登録された内容は適時に追加・変更することもできるようになっているのである。
【００３１】
尚、本発明の趣旨を逸脱しない範囲において、種々の実施形態をとるこができることは言うまでもない。上記実施形態では、加盟店又は登録会員が電子メールを送受信する手段として携帯電話を用いて説明しているがこれに限定されるものではなく、パソコンや、ＰＤＡ端末などの通信機器を用いることができることは言うまでもない。
【００３２】
また、加盟店は本部とアフェリエイト契約をするか否かの選択をすることができ、アフェリエイト契約をする場合には本部からアフェリエイト契約をした加盟店の各々に自身及び配下の登録会員がテナント店に入場できる入り口を本部のサーバ上に設けることができて、加盟店自身及び配下の登録会員がその入り口を通過するごとにテナント店が本部に支払った広告代金の一部をポイントに換算することもできるものである。
【００３３】
【発明の効果】
請求項１の発明は、本部と、加盟店と、広告スポンサーであるテナント店と、登録会員との間で行われる携帯電話の電子メールを利用した広告方法であって、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告閲覧件数に応じたポイントが与えられ、蓄積されるステップとを有するものであって、加盟店又は登録会員が蓄積されたポイントによってテナント店の商品を購入することができるものであることに特徴を有するので、従来の電子メールを利用した宣伝広告と比較して広告閲覧件数を大幅に増加させることができ、テナント店の広告商品の売上増大に貢献することができる。また、テナント店から本部に入る広告収入も増加させることができる。
【００３４】
そして、本部に入る広告収入の一部を加盟店又は登録会員にポイントとして分配することができるので、そのポイントによって加盟店又は登録会員はテナント店の商品を購入することができ、さらに新たな登録会員を増やそうという動機付けが生じるので、登録会員の数を増大させることができる。
【００３５】
請求項２の発明は、加盟店又は登録会員が新たな登録会員を集めるステップは、本部のサーバから転送用メールを受信し、該転送用メールを登録会員の知人のメールアドレスに転送し、受信した者が該転送用メールを送信した者に付与されたＩＤ宛にメールを送信し、該送信メールに対応したメールが本部から送信され、該メールの中にある加盟店のホームページにアクセスして該ホームページの画面上で登録して本部のサーバに記録された新規登録会員に対して新たなＩＤが付与されるものであることに特徴を有するので、新たに登録会員となる者が登録に際して登録用紙に記入して切手を貼って郵送するような面倒な作業を必要とせず、携帯電話の画面上で行うことができることから便利である。
【００３６】
請求項３の発明は、転送用メールを受信した者が該転送用メール画面上で登録する内容には関心のあるジャンルをチェックするアンケートが含まれていることに特徴を有するので、登録会員にとって不要な広告を閲覧する煩わしを無くすことができる。
【００３７】
請求項４の発明は、本部のサーバは登録会員の登録する内容によって配信する広告内容を選択することができることに特徴を有するので、登録会員にとって不要な広告を配信することを防ぐことができる。
【００３８】
請求項５の発明は、加盟店又は登録会員に与えられるポイントはテナント店が本部に支払った広告代金の一部をポイント換算するものであって、加盟店又は登録会員は貯まったポイントによってテナント店の商品と交換することができるものであることに特徴を有するので、キャッシュバックのように不特定多数の店で買い物をするのではなく、広告を掲載しているテナント店でポイントに対応した商品と交換することから、ポイントの交換に来た登録会員が、そのテナント店で他に買い物をすることも予想され、テナント店にとっては宣伝広告効果を増大させることができるものである。
【００３９】
請求項６の発明は、加盟店は本部とアフェリエイト契約をするか否かの選択をすることができ、アフェリエイト契約をする場合には本部からアフェリエイト契約をした加盟店の各々に自身及び配下の登録会員がテナント店に入場できる入り口を本部のサーバ上に設けることができて自身及び配下の登録会員が該入り口を通過するごとにテナント店が本部に支払った広告代金の一部をポイント換算することに特徴を有するので、加盟店は配下の登録会員を管理することができ、貯まったポイントも逐一知ることができるので便利である。
【図面の簡単な説明】
【図１】 本発明に係る携帯電話の電子メールを利用した広告方法のシステム構成を示す概念図である。
【図２】登録会員になるための登録の手順を示した説明図である。
【図３】携帯電話の画面上での登録手続きの内容を示す説明図である。
【図４】ポイントシステムについての説明図である。
【符号の説明】
１  本部
２  テナント店
３  加盟店
４  登録会員
【図１】
2005141278.tif 000003
【図２】
2005141278.tif 000004
【図３】
2005141278.tif 000005
【図４】
2005141278.tif 000006
【手続補正書】
【提出日】平成16年6月14日(2004.6.14)
【手続補正１】
【補正対象書類名】明細書
【補正対象項目名】請求項１
【補正方法】変更
【補正の内容】
【請求項１】
本部と、加盟店と、広告スポンサーであるテナント店と、登録会員との間で行われる携帯電話の電子メールを利用した広告方法であって、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告受信件数に応じたポイントが与えられ、蓄積されるステップとを有するものであって、加盟店又は登録会員が蓄積されたポイントによってテナント店の商品を購入することができるものであることを特徴とする携帯電話の電子メールを利用した広告方法。
【手続補正２】
【補正対象書類名】明細書
【補正対象項目名】０００７
【補正方法】変更
【補正の内容】
【０００７】
【課題を解決するための手段】
請求項１の発明は、本部と、加盟店と、広告スポンサーであるテナント店と、登録会員との間で行われる携帯電話の電子メールを利用した広告方法であって、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告受信件数に応じたポイントが与えられ、蓄積されるステップとを有するものであって、加盟店又は登録会員が蓄積されたポイントによってテナント店の商品を購入することができるものであることに特徴を有する。
【手続補正３】
【補正対象書類名】明細書
【補正対象項目名】００２２
【補正方法】変更
【補正の内容】
【００２２】
次に、図４を用いて本発明に係る電子メールを利用した広告方法におけるポイントシステムについて説明する。先ず、ポイントとは加盟店又は登録会員が本部から送信されてきた電子メールに添付されたテナント店の広告を受信した場合にその都度、加盟店又は登録会員に与えられる点数のことである。そして、このポイントが蓄積されるとテナント店において、ポイントに対応する商品と交換することができるのである。
【手続補正４】
【補正対象書類名】明細書
【補正対象項目名】００３３
【補正方法】変更
【補正の内容】
【００３３】
【発明の効果】
請求項１の発明は、本部と、加盟店と、広告スポンサーであるテナント店と、登録会員との間で行われる携帯電話の電子メールを利用した広告方法であって、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告受信件数に応じたポイントが与えられ、蓄積されるステップとを有するものであって、加盟店又は登録会員が蓄積されたポイントによってテナント店の商品を購入することができるものであることに特徴を有するので、従来の電子メールを利用した宣伝広告と比較して広告閲覧件数を大幅に増加させることができ、テナント店の広告商品の売上増大に貢献することができる。また、テナント店から本部に入る広告収入も増加させることができる。